(57)【要約】【課題】  所望の画像を容易に見つけ出し選択することができる表示制御装置、表示制御方法、及びプログラムを提供することを課題とする。【解決手段】  画像データに関連付けられた画像情報に基づいて当該画像データを複数含む画像群を取得し、取得した画像群に含まれる画像データを画像情報に基づいて分類することにより作成された複数の画像グループから、所定の画像グループを選択する。所定の画像グループが選択されると、複数画像画面モードにおいて選択手段により選択された画像グループに含まれる画像１２０２とその他の画像１２０３，１２０４とを識別可能に表示させる。【選択図】  図１２
2014059632.tif 000002
【特許請求の範囲】
【請求項１】
画像データに関連付けられた画像情報に基づいて当該画像データを複数含む画像群を取得する取得手段と、
前記取得手段により取得した画像群に含まれる画像データを前記画像情報に基づいて分類することにより作成された複数の画像グループから、所定の画像グループを選択する選択手段と、
前記取得手段により取得した画像群に含まれる画像データに基づく画像を表示手段に表示させる制御手段と、
を備え、
前記制御手段は、画像を複数表示する複数画像表示モードにより、前記取得手段により取得した画像群に含まれる画像データに基づく画像を所定順に前記表示手段に表示させることが可能であり、前記選択手段により所定の画像グループが選択されると、前記複数画像表示モードにおいて前記選択手段により選択された画像グループに含まれる画像とその他の画像とを識別可能に表示させることを特徴とする表示制御装置。
【請求項２】
前記画像情報は日時情報であり、
前記制御手段は、前記複数画像表示モードにおいて、画像群に含まれる画像データに基づく画像を前記日時情報の順に並べて前記表示手段に表示させることを特徴とする請求項１に記載の画像処理装置。
【請求項３】
前記制御手段は、前記選択手段により所定の画像グループが選択されてから所定時間経過後に、前記選択手段により選択された画像グループに含まれる画像と前記その他の画像とを識別可能な表示状態を解除させることを特徴とする請求項１又は２に記載の表示制御装置。
【請求項４】
前記画像群を全て表示するまで、前記画像グループと前記その他の画像とを識別可能な表示状態を解除しないことを特徴とする請求項１〜３のいずれか一項に記載の表示制御装置。
【請求項５】
ユーザ操作による表示画像の変更指示を検出する検出手段をさらに備え、
前記制御手段は、前記複数画像表示モードにおいて前記検出手段による検出があった場合に、前記選択手段により選択された画像グループに含まれる画像と前記その他の画像とを識別可能な表示状態を解除させることを特徴とする請求項１〜４のいずれか一項に記載の表示制御装置。
【請求項６】
前記制御手段は、前記複数画像表示モードにおいて前記検出手段が前記変更指示を検出した場合、前記変更指示により前記表示手段に前記画像グループに含まれる画像が１つも表示されなくなるまで、前記選択手段により選択された画像グループに含まれる画像と前記その他の画像とを識別可能な表示状態を解除しないことを特徴とする請求項５に記載の表示制御装置。
【請求項７】
前記変更指示は、所定方向に表示画像をスライドさせることにより表示画像を変更する指示であり、
前記制御手段は、前記複数画像表示モードにおいて前記所定方向と直交する方向の画像の並び順を変更せずに前記表示画像を変更させることを特徴とする請求項５又は６に記載の表示制御装置。
【請求項８】
前記制御手段は、画像データに基づく画像の明度、彩度、及び色相のうち少なくとも１以上を変化させることにより、前記選択手段により選択された画像グループに含まれる画像と前記その他の画像とを識別可能に表示させることを特徴とする請求項１〜７のいずれか一項に記載の表示制御装置。
【請求項９】
前記制御手段は、アイコン、記号、及び図形のうち少なくとも１以上を前記画像データに基づく画像に付加又は前記画像データに基づく画像の近傍に表示させることにより、前記画像群と前記その他の画像とを識別可能に表示させることを特徴とする請求項１〜８のいずれか一項に記載の表示制御装置。
【請求項１０】
前記制御手段は、前記複数画像表示モードにおいて前記画像データに基づく画像を表示する画像表示部の一端側に前記選択手段により選択された画像グループに含まれる画像を表示させることを特徴とする請求項１〜９のいずれか一項に記載の表示制御装置。
【請求項１１】
前記制御手段は、前記複数画像表示モードにおいて、前記選択手段により選択された画像グループの前に表示される画像の数と前記選択手段により選択された画像グループの後に表示される画像の数との差が最小になるように表示させることを特徴とする請求項１〜９のいずれか一項に記載の表示制御装置。
【請求項１２】
前記制御手段は、前記画像群に含まれる画像データの数に応じて、前記複数画像表示モードにおける表示画像数を変更させることを特徴とする請求項１〜１１のいずれか一項に記載の表示制御装置。
【請求項１３】
前記選択手段による選択は、前記表示手段の前記画像グループを選択する選択モードにおいてユーザによる選択操作に基づくものであり、
前記制御手段は、前記選択手段により所定の画像グループが選択されると、前記選択モードから前記複数画像表示モードに前記表示手段の表示を切り替えることを特徴とする請求項１〜１２のいずれか一項に記載の表示制御装置。
【請求項１４】
前記制御手段は、前記選択モードにおいて、前記画像グループに含まれる少なくとも１つの画像及び／又は前記画像グループの画像情報を表示させ、前記画像グループに含まれる少なくとも１つの画像又は前記画像グループの画像情報を選択することにより前記画像グループのいずれかを選択することができることを特徴とする請求項１〜１３のいずれか一項に記載の表示制御装置。
【請求項１５】
前記画像データを被記録媒体に印刷する印刷手段と、
印刷の指示を検出する検出手段と、
をさらに備えることを特徴とする請求項１〜１４のいずれか一項に記載の表示制御装置。
【請求項１６】
画像データに関連付けられた画像情報に基づいて当該画像データを複数含む画像群を取得する取得工程と、
前記取得工程により取得した画像群に含まれる画像データを前記画像情報に基づいて分類することにより作成された複数の画像グループから、所定の画像グループを選択する選択工程と、
前記取得工程により取得した画像群に含まれる画像データに基づく画像を表示工程に表示させる制御工程と、
を備え、
前記制御工程では、画像を複数表示する複数画像表示モードにより、前記取得手段により取得した画像群に含まれる画像データに基づく画像を所定順に前記表示手段に表示させることが可能であり、前記選択手段により所定の画像グループが選択されると、前記複数画像表示モードにおいて前記選択手段により選択された画像グループに含まれる画像とその他の画像とを識別可能に表示させることを特徴とする表示制御方法。
【請求項１７】
請求項１６に記載の表示制御方法をコンピュータにより実行することを特徴とするプログラム。
【発明の詳細な説明】
【技術分野】
【０００１】
本発明は、画像処理装置、画像処理方法、及びそのプログラムに関する。
【背景技術】
【０００２】
従来より、メモリカードなどの記録媒体に保存された複数の画像データを液晶画面などの表示手段に表示し、所望の画像をユーザに選択させる機能を有する画像処理装置が知られている。
【０００３】
特許文献１では、日付フォルダを日付毎に表示し、ユーザが日付フォルダを指定すると、ユーザが指定した日付の画像データだけを表示画面内に複数並べて表示する方法が開示されている。図２２は、特許文献１の画像処理装置の表示画面を示す図である。図中２２０１は、日付選択画面である。記録媒体に保存されている画像群の各記録日付の情報を読み取ることで、この日付選択画面には、検出した日付２２０２とその日付の代表画像２２０３を画面に並べて表示する。そして、日付選択画面２２０１から、ユーザが所定の日付２２０２を選択すると、画像選択画面２２０１を表示する。この画像選択画面には、ユーザが選択した日付２２０４と、選択した日付に該当する画像群２２０５とを並べて表示する。ユーザは、その中から所望の画像を選択することができるようになっている。
【先行技術文献】
【特許文献】
【０００４】
【特許文献１】特開２００５−１１９０８３号
【発明の概要】
【発明が解決しようとする課題】
【０００５】
しかしながら、所望の画像を選択する際に、ユーザが誤って所望の画像の日付とは異なる日付を指定してしまうことがある。このような場合、特許文献１では、画像選択画面には、指定した日付の画像だけが画面に表示されるため、正しい日付を指定するまで日付選択画面９０１に戻って日付指定を繰り返す必要があり、所望の画像を容易に見つけ出すことができない。
【０００６】
本発明は、上述した事情に鑑み、所望の画像を容易に見つけ出し選択することができる表示制御装置、表示制御方法、及びプログラムを提供することを目的とする。
【課題を解決するための手段】
【０００７】
上記の課題を解決するための本発明の表示制御装置は、画像データに関連付けられた画像情報に基づいて当該画像データを複数含む画像群を取得する取得手段と、前記取得手段により取得した画像群に含まれる画像データを前記画像情報に基づいて分類することにより作成された複数の画像グループから、所定の画像グループを選択する選択手段と、前記取得手段により取得した画像群に含まれる画像データに基づく画像を表示手段に表示させる制御手段と、を備え、前記制御手段は、画像を複数表示する複数画像表示モードにより、前記取得手段により取得した画像群に含まれる画像データに基づく画像を所定順に前記表示手段に表示させることが可能であり、前記選択手段により所定の画像グループが選択されると、前記複数画像画面モードにおいて前記選択手段により選択された画像グループに含まれる画像とその他の画像とを識別可能に表示させることを特徴とする。
【発明の効果】
【０００８】
本発明によれば、所望の画像を容易に見つけ出し選択することができる画像処理装置、画像処理方法及びプログラムを実現することができる。
【図面の簡単な説明】
【０００９】
【図１】実施形態１に係る画像処理装置の機能ブロック図である。
【図２】実施形態１に係る画像処理装置の操作パネルの説明図である。
【図３】実施形態１に係る画像処理装置のカード画像表示モードの動作フロー図である。
【図４】実施形態１に係る画像処理装置のカード画像表示モードの動作フロー図である。
【図５】実施形態１に係る画像処理装置のカード画像表示モードの動作フロー図である。
【図６】実施形態１に係る画像処理装置の多画像表示画面の詳細フロー図である。
【図７】実施形態１に係る画像処理装置の画像リストの作成フロー図である。
【図８】実施形態１に係る画像処理装置の画像リストのデータ構成図の例である。
【図９】実施形態１に係る画像処理装置の１画像表示画面の表示例を示す図である。
【図１０】実施形態１に係る画像処理装置の多画像表示画面の表示例を示す図である。
【図１１】実施形態１に係る画像処理装置の日付指定画面の表示例を示す図である。
【図１２】実施形態１に係る画像処理装置の多画像表示画面の表示例を示す図である。
【図１３】実施形態２に係る画像処理装置の多画像表示画面の詳細フロー図である。
【図１４】実施形態３に係る画像処理装置の多画像表示画面の詳細フロー図である。
【図１５】実施形態４に係る画像処理装置の多画像表示画面の詳細フロー図である。
【図１６】実施形態４に係る画像処理装置の多画像表示画面の表示例を示す図である。
【図１７】実施形態５に係る画像処理装置の多画像表示画面の詳細フロー図である。
【図１８】実施形態５に係る画像処理装置の多画像表示画面の表示例を示す図である。
【図１９】実施形態６に係る画像処理装置の機能ブロック図である。
【図２０】実施形態６に係る画像処理装置の操作パネルの説明図である。
【図２１】実施形態６に係る画像処理装置のカーソル操作説明図である。
【図２２】従来の表示画面における画像選択方法の説明図である。
【発明を実施するための形態】
【００１０】
以下、図面を参照して本発明の好適な実施の形態を詳細に説明する。なお、以下の実施形態は特許請求の範囲に係る本発明を限定するものでない。
【００１１】
（実施形態１）
図１は、実施形態１に係る画像処理装置の機能ブロック図である。図１に示すように、画像処理装置１０１は、ＣＰＵ１０２と、ＲＯＭ１０３と、ＲＡＭ１０４と、画像印刷部１１１と、画像読取部１１２と、外部デバイスＩ／Ｆ１１３と、操作パネル１０５と、外部メモリＩ／Ｆ１０９と、を備えている。
【００１２】
ＣＰＵ１０２は、装置全体の制御をおこなうとともにメモリカード１１０から画像データを読み出し、読みだした画像データを表示部である液晶ディスプレイ１０６に表示する制御を行う。ＲＯＭ１０３は、ＣＰＵ１０２で実行するプログラムを保持し、ＲＡＭ１０４は、ＣＰＵが制御を行う際に使用される。
【００１３】
また、操作パネル１０５は、液晶ディスプレイ１０６と、タッチパネルセンサ１０７と、操作ボタン１０８と、を備えている。液晶ディスプレイ１０６は、装置の状態表示やユーザによる装置の操作時にメニュー画面など表示するとともにメモリカードから読みだした画像の表示を行う。タッチパネルセンサ１０７は、ユーザの指などの指示媒体による接触を検知してユーザ操作を判断する。操作ボタン１０８は、指などによる押下等の操作を検出してユーザ操作を判断する。なお、本実施形態では、画像処理装置１０１は、ユーザインターフェースとして操作パネル１０５を備えるものとしたが、これに限定されるものではない。画像処理装置は、例えば、ユーザからの指示等を入力する入力装置や、ユーザに対する表示を行う表示装置を別々に備えるものであってもよい。
【００１４】
外部メモリＩ／Ｆ１０９は、外部のメモリカード１１０に接続してデータのやり取りを行う。メモリカード１１０としては、例えば、ＳＤカードが挙げられる。
【００１５】
また、画像処理装置１０１は、外部デバイスＩ／Ｆ１１３を介して外部デバイス１１４と接続可能となっている。外部デバイス１１４としては、パーソナルコンピューターやサーバーなど情報機器が挙げられる。外部デバイスＩ／Ｆ１１３としては、外部デバイス１１４とデータのやり取りを行うための有線ＬＡＮ、無線ＬＡＮ、ＵＳＢが挙げられる。
【００１６】
また、画像印刷部１１１は、画像読取部１１２で読み取ったドキュメントや画像等の印刷や外部デバイス１１４から受け取ったデータの被記録媒体への印刷を行うとともにメモリカード１１０から読み出して画像データを被記録媒体へ印刷する機能を有する。画像印刷部１１１は、画像データを印刷する機能を備えるものであれば特に限定されないが、本実施形態では、インクジェット方式で印刷を行うものとした。
【００１７】
画像読取部１１２は、原稿台に載置されたドキュメントや画像を読み取る機能を有する。
図２は、図１で示した操作パネル１０５の概略図及び説明図である。
図２（ａ）は、図１で示した操作パネル１０５の概略図である。図２（ａ）に示すように、操作パネル１０５は、液晶ディスプレイ１０６を備えている。本実施形態において、タッチパネルセンサ１０７は、静電方式であり、液晶ディスプレイ１０６に積層して取り付けられている。また、操作パネル１０５には、液晶ディスプレイ１０６の電源のオンオフを行うための電源ボタン（操作ボタン１０８）を備えている。
【００１８】
図２（ｂ）は、操作パネル１０５の説明図であり、タッチパネルセンサ１０７をユーザの指２０５がタッチしている様子を示している。タッチパネルセンサ１０７は、ＣＰＵ１０２の制御によりユーザの各種操作を検出する。具体的には、ユーザが１０７の表面を触る「タッチ操作」、タッチした指を動かさずに離す「タップ操作」、タッチした指を移動させる「ドラッグ操作」、タッチした指を素早く動かしながら離す「フリック操作」を検出する。タッチパネルセンサ１０７は、操作を検出した座標とそのタイミングで液晶ディスプレイ１０６に表示していた表示内容との関係によりユーザ操作の内容を判断する。
【００１９】
図３〜図６及び図９〜１２を用いて、本実施形態の特徴的な動作について説明する。図３〜図６は、実施形態１の画像処理装置１０１において、メモリカード１１０が保持する複数の画像から、ユーザが所望する画像を素早く見つけ出す機能を有する「カード画像表示モード」の動作を示すフロー図である。図９は、１画像表示画面の表示内容を示す図であり、図１０は、多画像表示画面の表示内容を示す図であり、図１１は、日付指定画面の表示内容を示す図である。また、図１２は、日付選択後の多画像表示画面の表示例を示す図である。
【００２０】
まず、操作ボタン１０８の操作を検出して装置が電源オン状態になり、液晶ディスプレイ１０６はメニュー画面を表示することで開始する（図３）。
【００２１】
Ｓ３０１では、メニュー画面の「カード画像表示モード」の選択をしたか否かを判断する。「カード画像表示モード」の選択を検知した場合は、Ｓ３０２へ進む。
【００２２】
「カード画像表示モード」の選択を検知すると、ＣＰＵ１０２の制御により、外部メモリＩ／Ｆ１０９経由でメモリカード１１０の画像ファイルを読み出し、各画像ファイルの日時情報（タイムスタンプ）を読み出す。そして日時情報の古い画像から順に画像を並べた画像リストをＲＡＭ１０４に作成する（Ｓ３０２）。すなわち、メモリカード１１０から画像情報（本実施形態では、日時情報）が関連付けられた画像ファイルを取得し、その画像情報に基づいて画像ファイルに含まれる画像を所定順に並べた画像リストを作成する。
【００２３】
ここで図７を用いて、画像リストの作成方法について説明する。図７は、上記Ｓ３０２における画像リストの作成手順を示すフロー図である。
【００２４】
まず、画像処理装置１０１は、メモリカード１１０から先頭のファイルのファイル情報を読み出す（Ｓ７０１）。すなわち、メモリカード１１０からファイル情報を取得する。本実施形態では、画像処理装置１０１は、ＦＡＴ形式のファイルシステムに対応しており、メモリカード１１０にＦＡＴ形式で保存された各ファイルから、ファイル名とタイムスタンプ（ファイルの更新日時）のファイル情報を順に読み出す。
【００２５】
次に、読み出したファイルが有効かどうかを確認する（Ｓ７０２）。なお、本実施形態では、読みだしたファイルが有効かどうかをファイル名の拡張子により確認した。具体的には、拡張子がＪＰＧ、ＴＩＦ、ｊｐｇ、ｔｉｆのファイルのみ有効な画像ファイルと認識するものとした。
【００２６】
読み出したファイルが無効であれば、無効なファイルの情報は読み捨てる（Ｓ７０３）。一方、読み出したファイルが有効なファイルであれば、画像リストに新たに読み出したファイル情報を追加し、更に各ファイル情報のタイムスタンプの古い順で画像を並び変えて画像リストを更新する（Ｓ７０４）。
【００２７】
次に、画像リストの更新を全てのファイルのファイル情報の読み出しが完了したか否かを判断する（Ｓ７０５）。ファイルのファイル情報を全て読み出していない場合は、Ｓ７０１へ戻る。なお、全てのファイルのファイル情報の読み出しが完了したら、処理を終了する。すなわち、全てのファイルのファイル情報の読み出しが完了するまで繰り返して（Ｓ７０５）、前記画像リストを完成させる。
【００２８】
図８は、画像リストのデータ構成を示す図である。図８は、画像リストに画像データが５つ含まれている場合を例示している。画像リスト８０１は、各画像データの画像リストにおける並び順を示すリスト番号８０２と、各画像データのファイル名８０３と、各画像データのタイムスタンプ情報８０４と、を有している。本実施形態では、画像リスト８０１は、リスト番号８０２と、ファイル名８０３と、タイムスタンプ情報８０４とを備えるものとしたが、さらに画像の各種情報を備えるものとしてもよい。
【００２９】
図３に戻って、Ｓ３０３で、画像リストの最後の画像、すなわち、日時情報が最も新しい画像をカレント画像（画像表示の基準とする画像）に定めてＲＡＭ１０４に保持する。
【００３０】
次に、液晶ディスプレイ１０６の表示を「１画像表示画面」に切り替える（Ｓ３０４）。言い換えれば、画像を１つ表示する「１画像表示モード」に切り換える。
【００３１】
ここで、図９（ａ）を用いて、一画面表示画面について説明する。図９（ａ）は、１画像表示画面の表示例を示す図である。１画像表示画面９０１は、カレント画像である画像９０６と、多画像表示ボタン９０４と、印刷ボタン９０５と、を備えている。このように、１画像表示画面９０１では、カレント画像９０３として１画像を設定していることにより、画像を液晶ディスプレイ１０６に大きく表示することができる。この１画像表示画面９０１では、カレント画像９０３により、メモリカード１１０の画像の内容を確認することができる。また、１画像表示画面９０１が印刷ボタン９０５を備えていることにより、必要に応じてその印刷をすることができる。
【００３２】
図３に戻って、ユーザによる画像の送り操作を検出したか否かを判定する（Ｓ３０５）。本実施形態では、１画面表示画面９０１上で、指を左右方向にドラッグ操作又はフリック操作を行った場合に、画像の送り操作を検出したと判定する。
【００３３】
ユーザによる画像の送り操作を検出した場合は、カレント画像を切り替える（Ｓ３０６）。具体的には、ユーザによる所定方向に指をスライドさせる動作を検出した場合は、１画像表示画面９０１の画像９０６を指の動作に合わせてスライドさせ、画像リストの次（または前）の画像に切り替える。そして、新たに表示した画像をカレント画像とする。図９（ｂ）は、１画像表示画面９０１において、ユーザの指９０９により、元の表示画像９０６を次の表示画像９０７に切り替えている途中の状態を示している。本実施形態では、１画像表示画面９０１において、ユーザによる画像の送り操作を検出した場合、図９（ｂ）に示すように、ユーザの指の動きに合わせて画像をスライドさせた状態、すなわち、前の画像と次の画像が認識できる状態を経て次の画像へ切り替える。
【００３４】
Ｓ３０７では、１画像表示画面９０１において、印刷ボタン９０５の操作が検出されたか否かを判定する。
【００３５】
印刷ボタン９０５の操作を検出した場合は、Ｓ３０８へ進み、表示しているカレント画像９０３に対し、ＣＰＵ１０２により所定の画像処理が実行されて画像印刷部１１１によりカレント画像を印刷する。
【００３６】
印刷ボタン９０５の操作を検出しない場合は、Ｓ３０９へ進み、１画像表示画面９０１において、多画像表示画面への変更指示、すなわち、多画像表示ボタン９０４の操作が検出されたか否かを判定する。多画像表示ボタン９０４の選択操作を検出すると、「多画像表示画面」に画面を遷移させる（図４のＳ３１０）。言い換えれば、画像を複数表示する「複数画像表示モード」に切り換える。
【００３７】
ここで、図１０を用いて多画面表示画面について説明する。図１０は、多画像表示画面１００１を示す図である。図９に示すような１画像表示画像では、画像を大きく表示しているので多くの画像から所望の画像を素早く探すことは難しい。これに対し、図１０に示すような多画像表示画面では、複数の画像１００２を小さく並べて表示してまとめて画像送りできるため、所望の画像を容易に探し出すことができる。図１０に示すように、多画像表示画面１００１は、複数の画像１００２と、日付指定画面に遷移する日付ジャンプボタン１００３とを表示するものとした。なお、本実施形態では、多画像表示画面１００１は、縦１０列×横８行の最大８０画像を、画面左端の１列目の上から下へ、次の列の上から下へと順に画像１００２を並べて表示するものとした。
【００３８】
図４に戻って、Ｓ３１０では、多画像表示画面１００１では、１画像表示画面の表示画像（カレント画像）を、多画像表示画面内に表示する。なお、１画像表示画面の表示画像（カレント画像）の表示方法について詳細は後述する。ここで、多画像表示画面１００１における１画像表示画面のカレント画像を表示する位置は特に限定されないが、本実施形態では、左端に表示するように構成した。これにより、少なくともカレント画像よりも古い日時の画像を多画像表示画面に表示することができる。
【００３９】
次に、多画像表示画面において画像の送り操作を検出したか否かを判定する（Ｓ３１１）。ここで、画像の送り操作は、１画像表示の場合と同様であり、指を左右方向にドラッグ操作又はフリック操作を行った場合に、画像の送り操作を検出したと判定する。画像の送り操作を検出した場合は、Ｓ３１２へ進み、画像の送り操作を検出していない場合は、Ｓ３１３へ進む。
【００４０】
Ｓ３１２では、指の動きに合わせて画像群を左右方向いずれかにスライドさせる。すなわち、画像群の列は変更させずに、行を変更して多画像表示画面内に表示する画像を変更する。これにより、操作前の多画像表示画面に表示されていた画像よりもより古い画像又はより新しい画像を多画像表示画面内に表示する。また、これに合わせて多画像表示画面６０１の画面左上に表示した画像を新たなカレント画像に設定する。そして、Ｓ３１０へ戻る。このように、多画像表示画面では、複数の画像を表示すると共に、複数の画像をまとめて送り操作することができるため素早く所望の画像を探すことができる。
【００４１】
Ｓ３１３では、画像の選択操作を検出したか否かを判定する。すなわち、ユーザが所望の画像を見つけだし、画像の選択操作（タップ操作）をしたか否かを検出する。画像の選択操作を検出していない場合はＳ３１５へ進む。Ｓ３１３において画像の選択操作を検出すると、選択された画像を新たなカレント画像に設定して（Ｓ３１４）、１画像表示画像の表示（Ｓ３０４）に戻り、選択した画像を大きく表示する。
【００４２】
Ｓ３１５では、日付指定画面への変更指示、すなわち、日付ジャンプボタン操作を検出したか否かを判定する。本実施形態では、図１０に示すように、多画像表示画面１００１には、さらに画像を素早く見つけ出す手段として、日付ジャンプボタン１００３を有している。Ｓ３１５において、この日付ジャンプボタン６０３の選択操作（タップ操作）を検出すると、画面を「日付指定画面」に遷移させる（Ｓ３１６）。すなわち、液晶ディスプレイ１０６に、日付指定画面を表示させる。言い換えれば、画像グループを選択する「選択モード」に切り換える。
【００４３】
次に、日付指定画面において送り操作を検出したか否かを判定する（Ｓ３１７）。ここで、画像の送り操作は、１画像表示の場合や多画面表示の場合と同様であり、指を左右方向にドラッグ操作又はフリック操作を行った場合に、画像の送り操作を検出したと判定する。画像の送り操作を検出した場合は、Ｓ３１８へ進み、画像の送り操作を検出していない場合は、Ｓ３１９へ進む。
【００４４】
送り操作を検出すると、画面上の日付および先頭画像群を指の動きに合わせてスライドする。具体的には、指７０８で画像を左右方向のいずれかにドラッグまたはフリック操作を行う。そして、選択した画像の送り操作に伴い、前又は後の日付とその先頭も順次表示され、日付指定画面７０１の画面中央の画像を新たなカレント画像として設定する（Ｓ３１８）。そして、Ｓ３１６へ戻る。
【００４５】
Ｓ３１９では、日付指定画面上の日付又は先頭画像に対する選択操作を検出したか否かを判定する。日付指定画面上の日付又は選択画像の選択操作（タップ操作）を検出すると、選択した日付の先頭画像又は選択したその先頭画像をカレント画像に設定する（Ｓ３２０）。そして多画像表示画面（Ｓ３１０）に戻ることで、選択した日付の先頭画像及びその前後の日時の画像が画面に表示される。
【００４６】
ここで、図１１を用いて、日付指定画面について説明する。図１１は、日付指定画面を示す。図１１に示す日付指定画面１１０１では、画像リストに含まれる各画像データが、画像データの画像情報（本実施形態では、日付情報）に基づいて、分類されている。言い換えれば、日付指定画面１１０１は、画像リストに含まれる各画像データが日付毎に分類され、複数の画像グループが形成されている。本実施形態では、日付指定画面１１０１において、３つの日付とその先頭画像（その日付の最新画像）を表示するようになっている。日付指定画面７０１は、カレント画像の日付を示す文字列１００５、その日付の先頭画像１００２、カレント画像の日付の１つ前の日付を示す文字列１００６、その日付の先頭画像１００３、１つ後の日付を示す文字列１００７、その先頭画像１００４を表示する。図１１において、日付を示す文字列又はその日付の先頭画像を選択することにより、詳細は後述するが、多画像表示画面において、各日付の画像の一覧を識別可能に表示できる。本実施形態では、日付指定画面において、３つの日付とその日付の先頭画像を表示するようにしたが、これに限定されるものではない。例えば、４つ以上の日付を表示するようにしてもよい。また、各日付の画像は、先頭画像としたが、中央の画像であってもよく、最後の画像であってもよい。
【００４７】
多画像表示画面であっても画像数が非常に多い場合には画像送りを何度も繰り返す必要があり、所望の画像を探すことが難しくなる。そこで、本実施形態では、図１１に示すような、日付指定画面によりユーザに日付を選択させ、その日付（およびその近傍）の画像を識別可能に多画像表示画面に表示するとこで、画像を探す時間を更に短縮する。
【００４８】
図６は、図３のＳ３１０の多画像表示画面の表示処理の詳細フローである。より具体的には、多画像表示画面において、指定日付の画像と指定されていないその他の日付の画像の表示に差をつけて表示するように、ＣＰＵ１０２が実行する表示処理の詳細フローである。
【００４９】
まず、多画像表示画面に遷移すると、各画像の縦方向の位置を変えずにカレント画像が画面の１列目（左端）に表示される様に画像配置を決定する（Ｓ４０１）。ただし、画像リストの画像が少なくカレント画像を１列目に配置できない場合は、多画像表示画面においてカレント画像ができるだけ画像表示部の左側に配置されるように画像配置を決定する。
【００５０】
次に、多画像表示画面が、日付指定画面から遷移したか否かを判定する（Ｓ４０２）。日付指定画面から遷移したのでなければ、Ｓ４０６へ進む。
【００５１】
一方、日付指定画面から遷移した場合には、Ｓ４０３へ進み、多画像表示画面に遷移した後に画像送りをしたか否かを判定する。
【００５２】
画像送り操作を一度でも検出した場合は、Ｓ４０４へ進み、画像送り操作を一度も検出していない場合は、Ｓ４０６へ進む。
【００５３】
Ｓ４０４では、一定時間（本実施形態では５秒）が経過したか否かを判定する。一定時間が経過するまでは、指定した日付の画像を基準の明度で表示し、指定した日付以外の画像を、基準の明るさよりも明度を下げて暗く表示する（Ｓ４０５）。これにより、指定した日付の画像と、指定した日付以外の画像を識別可能に表示する。このとき、指定した日付以外の画像は明度を下げて暗く表示するようにしたが、明度を下げた状態であっても画像を選択することが可能である。すなわち、明度を下げた状態であっても画像を選択して一画面表示に遷移させることが可能である。なお、一定時間が経過した後は、Ｓ４０６へ進む。
Ｓ４０６では、画像内の全ての画像を基準の明るさで表示する。
【００５４】
ここで、図１２を用いて、Ｓ３１０における多画像表示画面の表示例について説明する。図１２は、Ｓ３１０の多画像表示画面の表示例を示す図である。
【００５５】
多画像表示画面では、カレント画像が１列目になるように、画像群を画像リストの順に並べて配置する。すなわち、図１２に示すように、多画像表示画面１２０１は、選択した日付の先頭画像１２０５が、多画像配置画面１２０１の最左列のいずれかに配置される。そして、指定した日付の画像群（画像グループ）１２０２、指定した日付よりも新しい日付の画像群（画像グループ）１２０４、指定した日付よりも古い日付の画像群（画像グループ）１２０３を表示する。これにより、ユーザは指定した日付前後の画像の確認を容易に行うことができる。そして、日付指定画面から遷移し且つ画像遷移後画像送りをしていない場合は、一定時間経過するまで、図１２（ａ）に示すように、指定した日付の画像群１２０２を基準の明るさで表示し、その他の日付の画像群（画像群１２０３及び画像群１２０４）を基準の明るさよりも明度を下げて表示する。これにより、指定した日付の画像群とその他の画像群を容易に識別することができる。そして、一定時間経過すると、図１２（ｂ）に示すように、すべての画像（全ての画像群）を基準の明るさで表示する。
【００５６】
なお、本実施形態では、このとき各画像の表示行、すなわち、各画像の縦方向の配置は変更しない。言い換えれば、スライド可能な方向と直交する方向の画像の並び順は変更しない。したがって、カレント画像は、一列目ではあるが、左上の先頭となるとは限らない。本実施形態では、カレント画像を一列目になるように配置する場合であっても、各画像の縦方向の配置は変更しない。したがって、選択した日付の先頭画像１２０５が、最左列の一番目ではない場合は、それよりも前の日付の画像（図１２（ａ）では画像群１２０３）が表示される。このとき、選択した日付より前の日付の画像と、選択した日付より後の日付の画像が表示される。
【００５７】
多画像選択画面において、指定した日付とその前後の画像をただ並べて表示するだけでは、指定した日付の画像が選択画面のどこに表示されているか認識し難く、正しく日付指定しても画像が見つけ難い。これに対し、上述したように、本実施形態では、日付指定画面において日付を指定して多画像表示に遷移した直後は、指定した日付の画像が他の画像よりも相対的に明るく見えるように表示する。このように、日付指定画面から多画像表示画面に遷移した場合、多画像表示画面において指定した日付の画像群とその他の画像群に表示の差をつけることにより、容易に所望の画像を見つけることができる。すなわち、日付指定画面において指定した日付の中に所望の画像があるか否かを容易に確認することができる。これによる効果は、画像選択画面において、多数の画像を縮小表示して並べる場合に、より顕著である。
【００５８】
また、特許文献１では、指定した日付に該当した画像のみを画面に並べて表示するものであったため、ユーザが誤って所望の画像の前後の日付を指定した場合、日付指定画面に戻って日付を再度指定する必要があった。これに対し、本実施形態では、日付を指定した場合であっても、多画像表示画面において、選択した日付の画像だけでなくその前後の画像も表示する。本実施形態では、指定した日付以外の画像を暗く表示している状態でも、画像内容は確認できる。このため、ユーザが選択したい画像（所望の画像）と実際に選択した日付指定が多少ずれていても、所望の画像を素早く見つけることができる。また、本実施形態では、多画像表示画面において指定した日付の画像群とその他の画像群に表示の差をつけて表示した後に、一定時間経過後に全ての画像を元の基準の明度で表示する。したがって、指定した日付の画像とその他の日付の画像を識別可能に表示された際に多画像表示画面における指定した日付の画像の位置を認識し、全ての画像が基準の明度に戻った際にその前後の日付の画像を探すことにより、所望の画像を容易に見つけ出すこともできる。
【００５９】
また、本実施形態では、多画像表示画面で各画像の縦方向の表示位置を変えずに横方向の表示位置だけ移動させて表示することにより、特許文献１のように日付指定を行う度に画像を画面の左上から表示し直すような制御に比べて、表示制御を単純化することができる。したがって、プログラムサイズを小さくすることができる。
【００６０】
さらに、本実施形態では、選択した日付の画像を表示する日付指定画面は、多画像表示画面を流用しているので、独自レイアウトの画面を表示する場合に比べてＲＯＭに格納するプログラムサイズを小さくすることができる。
【００６１】
（実施形態２）
実施形態１の画像処理装置では多画像表示画面に遷移して一定時間が経過すると、指定した日付以外の画像の明度を下げる表示を解除したが、本実施形態では指定した日付の画像を全て表示するまで明度を下げる表示の解除を行わない。
【００６２】
機能ブロック図（図１）、操作パネルの外形図（図２）、メモリカード表示モードのフロー図（図３）、表示内容説明図（図５、図６、図７、図８）は、実施形態１の画像処理装置と同じであるため、重複する説明は省略する。
【００６３】
ここで、図１３を用いて、本実施形態の多画像表示画面の表示について説明する。図１３は、本実施形態の「多画像表示画面の表示」の詳細フロー図である。
【００６４】
本実施形態でも、画像処理装置も実施形態１と同様に多画像表示画面に遷移するとカレント画像を画面の１列目に表示する（Ｓ１３０１）。すなわち、カレント画像が１列目になるように画像群を画像リストの順に並べて配置する。ただし、画像リストの画像が少なくカレント画像を１列目に配置できない場合は、多画像表示画面においてカレント画像ができるだけ左側に配置されるように画像配置を決定する。このとき各画像の表示行は変更しない。したがって、カレント画像は、一列目ではあるが、左上の先頭となるとは限らない。
【００６５】
次に、Ｓ１３０２で、多画像表示画面は、日付指定画面から遷移したか否かを判定する。日付指定画面から遷移した場合は、Ｓ１３０３へ進み、日付指定画面以外から遷移した場合は、Ｓ１３０７へ進む。
【００６６】
Ｓ１３０３で、画像送り操作を一度でも受け付けたか否かを判定する。画像遷移後、一度でも画像送り操作を受け付けた場合は、Ｓ１３０７へ進む。一方、一度も画像送り操作を受け付けていない場合は、Ｓ１３０４へ進む。
Ｓ１３０４では、指定した日付の画像が全て画面に表示されたか否かを判定する。
【００６７】
Ｓ１３０４において指定した日付の画像が全て画面に表示されていないと判定された場合、Ｓ１３０６へ進み、指定した日付の画像を基準の明度で表示し、指定した日付の画像以外の日付の画像は基準よりも明度を下げて表示する。すなわち、指定した日付の画像が全て画面に表示されるまでは、指定した日付の画像を基準の明度で表示し、指定した日付の画像以外の日付の画像は基準よりも明度を下げて表示する。このとき、指定した日付の画像を優先的に表示して、指定した日付の画像表示を全て終えてからその他の日付の画像表示を行うようにする。
【００６８】
Ｓ１３０４において指定した日付の画像が全て画面に表示されたと判定された場合は、Ｓ１３０５へ進む。
【００６９】
Ｓ１３０５では、指定した日付の画像を全て表示してから一定時間を経過したか否かを判定する。一定時間を経過していない場合は、Ｓ１３０６へ進み、指定した日付の画像を基準の明度で表示し、指定した日付の画像以外の日付の画像は基準よりも明度を下げて表示する。一方、一定時間を経過した場合は、Ｓ１３０７へ進む。
【００７０】
Ｓ１３０７では、図１２（ｂ）の１２０２に示すように画像内の全ての画像を基準の明るさで表示する。
本実施形態では、実施形態１と同様に、日付指定画面から多画像表示画面に遷移した場合、多画像表示画面において指定した日付の画像群とその他の画像群に表示の差をつけることにより、容易に所望の画像を見つけることができる。また、プログラムサイズを小さくすることができる。
【００７１】
ここで、多画像表示画面の全ての画像をメモリカード１１０から読みだして表示するには数秒から数十秒の時間がかかる。実施形態１の画像処理装置では、多画像表示画面に遷移して一定時間が経過すると図８（ａ）の状態を解除してしまうので、指定した日付の画像が全て画面に表示される前に図８（ａ）の表示が解除されてしまう場合がある。これに対し、本実施形態では、指定した日付の画像が全て表示されるまで図８（ａ）の表示を解除しないため、指定した日付の表示範囲を確実に伝えることができる。
【００７２】
さらに、日付指定された画像から優先的に表示するようにすることにより、指定した日付の表示範囲を確実に伝えることができる。
【００７３】
（実施形態３）
実施形態１の画像処理装置では画像送り操作を一度でも行うと、指定した日付以外の画像の明度を下げる表示を解除したが、本実施形態では画面内に指定した日付の画像が表示されている間は指定した日付以外の画像の明度を下げる表示を解除しない。
【００７４】
機能ブロック図（図１）、操作パネルの外形図（図２）、メモリカード表示モードのフロー図（図３）、表示内容説明図（図５、図６、図７、図８）は、実施形態１の画像処理装置と同じであるため、重複する説明は省略する。
【００７５】
ここで、図１４を用いて、本実施形態の多画像表示画面の表示について説明する。図１４は、本実施形態の多画像表示画面の表示の詳細フロー図である。
【００７６】
まず、多画像表示画面に遷移するとカレント画像を画面の１列目に表示する（Ｓ１４０１）。すなわち、カレント画像が１列目になるように画像群を画像リストの順に並べて配置する。ただし、画像リストの画像が少なくカレント画像を１列目に配置できない場合は、多画像表示画面においてカレント画像ができるだけ左側に配置されるように画像配置を決定する。このとき各画像の表示行は変更しない。
【００７７】
次に、日付指定画面から遷移したか否かを判定する（Ｓ１４０２）。日付指定画面から遷移した場合は、Ｓ１４０３へ進み、日付指定画面から遷移したものでない場合は、Ｓ１４０６へ進む。
【００７８】
Ｓ１４０３では、多画像表示画面へ遷移した後に画像送りをしたか否かを判定する。画像送り操作を一度も受け付けていない場合は、Ｓ１４０５へ進み、指定した日付の画像を基準の明度で表示し、指定した日付以外の日付の画像は基準よりも明度を下げて表示する。
【００７９】
一方、画像遷移後に画像送り操作をした場合は、画面内に指定日付画像があるか否かを判定する（Ｓ１４０４）。画面内に指定した日付の画像が存在する場合は、指定した日付以外の画像群１２０３、１２０４を基準の明るさよりも明度を下げて表示する（Ｓ１４０５）。一方、画面内に指定した日付の画像が存在しない場合は、Ｓ１４０６へ進む。
【００８０】
Ｓ１４０６では、図１２（ｂ）の１２０２に示すように画像内の全ての画像を基準の明るさで表示する。
【００８１】
本実施形態では、実施形態１と同様に、日付指定画面から多画像表示画面に遷移した場合、多画像表示画面において指定した日付の画像群とその他の画像群に表示の差をつけることにより、容易に所望の画像を見つけることができる。また、プログラムサイズを小さくすることができる。
【００８２】
また、実施形態１では画像送り操作を一度でも受け付けると、図１２（ａ）の状態を解除してしまうので、指定した日付の画像数が多くて画面に入りきらない場合には、指定した日付の範囲が分かりづらくなる。これに対し、本実施形態では画像送りしても、指定した日付の画像が画面に表示されている間は図１２（ａ）の表示を解除しないため、指定した日付の表示範囲を明確にすることができる。これにより、所望の画像を容易に見つけることができる。
【００８３】
（実施形態４）
実施形態１では日付指定画面から多画像表示画面に遷移した際に、指定した日付の先頭画像を常に画面の１列目に表示したが、本実施形態では指定した日付の画像数に応じて、表示位置を変化させる。
【００８４】
機能ブロック図（図１）、操作パネルの外形図（図２）、メモリカード表示モードのフロー図（図３）、表示内容説明図（図５、図６、図７）は、実施形態１の画像処理装置と同様であるため、重複する説明は省略する。
【００８５】
図１５及び図１６を用いて本実施形態の多画像表示画面の表示について説明する。図１５は、多画像表示画面の表示の詳細フロー図であり、図１６は、日付指定画面から多画像表示画面に遷移した際の表示例を示す図である。
【００８６】
まず、多画像表示画面に遷移した際に、日付指定画面からの遷移であるか否かを判定する（Ｓ１５０１）。日付指定画面からの遷移である場合はＳ１５０２へ進む。
【００８７】
一方、日付指定画面からの遷移でなければ、実施形態１と同様、カレント画像を画面の１列目に配置する（Ｓ１５０５）。このとき、カレント画像が一列目になるように、画像群を画像リストの順に並べて配置する。ただし、画像リストの画像が少なくカレント画像を１列目に配置できない場合は、多画像表示画面においてカレント画像ができるだけ左側に配置されるように画像配置を決定する。また、各画像の表示行は変えない。
【００８８】
Ｓ１５０２で、指定した日付の画像群を画面内に全て表示可能か否かを判定する。そして、指定した日付の画像群を画像内に全て表示可能か否かによって処理を変える。指定した日付の画像を画面内に全て表示できる場合には、図１６（ｂ）に示すように、多画像表示画面１６０２内に指定した日付より古い画像群１６０７の数と新しい画像群１６０７の数の差が最小になるように、画像群を画像リストの順に並べ替えて配置する（Ｓ１５０３）。すなわち、指定した日付の画像群の横方向の位置が多画像表示画面１６０２における中央付近に位置するように定めて配置する。これにより、指定した日付より前の日付の画像と、指定した日付より後の日付の画像を表示することができる。これにより、ユーザは指定した日付前後の画像の確認を容易に行うことができる。なお、図１６（ｂ）に示すように、必ずしも指定した日付の両側の列の数が同一となるとは限らない。また、指定した日付の画像群を全て表示できるが、多画像表示画面１６０２の大部分を占める場合は、指定した日付より古い画像群１６０７と指定した日付より新しい画像群１６０７のいずれか一方のみしか表示できない場合もある。この場合は、指定した日付より古い画像群１６０７と指定した日付より新しい画像群１６０７のいずれを表示するようにしてもよく、適宜、設定すればよい。また、Ｓ１５０３では、各画像の表示行は変更しない。したがって、カレント画像が、列の先頭に配置するとは限らず、図１６（ｂ）に示すように、列の途中に配置されることがある。その後、Ｓ１５０６へ進む。
【００８９】
一方、指定した日付の画像の数が多く、画面内に全て表示できない場合は、図１６（ａ）の多画像表示画面１６０１に示すように、指定した日付の画像群１６０３の先頭画像であるカレント画像１６０５を１列目に配置する（Ｓ１５０４）。このとき、各画像の表示行は変更しない。その後、Ｓ１５０６へ進む。
【００９０】
Ｓ１５０６では、多画像表示画面に遷移した後、一定時間を経過したか否かを判定する。一定時間経過するまでの間は、指定した日付の画像群１６０３のみを基準の明るさで表示して、その他の日付の画像群１６０７および画像群１６０８を基準の明るさよりも明度を下げて表示する（Ｓ１６０７）。一方、多画像表示画面に遷移した後、一定時間を経過した場合は、Ｓ１５０８へ進み、画面内の全画像を基準の明度で表示する（Ｓ１５０８）。
【００９１】
本実施形態では、実施形態１と同様に、日付指定画面から多画像表示画面に遷移した場合、多画像表示画面において指定した日付の画像群とその他の画像群に表示の差をつけることにより、容易に所望の画像を見つけることができる。また、プログラムサイズを小さくすることができる。
【００９２】
また、本実施形態では、日付指定画面から多画像表示画面に遷移した際に指定した日付の画像が多い場合には、指定した日付の画像を画面の１列目から並べることで指定した日付の画像をできるだけ多く画面に表示できる。一方、指定した日付の画像が少ない場合には指定した日付の画像に加えて前後の日付の画像が画面内にバランスよく表示する。これにより、所望の画像をより探し易くなる。
【００９３】
（実施形態５）
実施形態１〜４では多画像表示画面のレイアウトを最大８０画像に固定した場合の例を示した。本実施形態では複数のレイアウトを持ち、日付指定画面から多画像表示画面に遷移した際に、指定した日付に該当する画像の数によって、レイアウトに自動的に切り換える。
【００９４】
なお、画像処理装置の機能ブロック図（図１）、操作パネルの外形図（図２）、メモリカード表示モードのフロー図（図３）、表示内容説明図（図５、図７）は、実施形態１の画像処理装置と同じであるため、重複する説明は省略する。
【００９５】
図１７及び図１８を用いて、本実施形態の多画像表示画面の表示について説明する。図１７は、多画像表示画面の表示の詳細フロー図であり、図１８は、日付指定画面から多画像表示画面に遷移した際の表示例を示す図である。
【００９６】
図１８において、多画像表示画面１８０１は、表示画像数を変更するためのスライドバー１８０３と、日付ジャンプボタンを備えている。スライドバー１８０３は、ユーザが操作可能なハンドル１８０４を備えており、ユーザが指で左右方向にハンドル１８０４をドラッグ操作することにより、表示画像数を多くしたり少なくしたりすることができる。例えば、図１のタッチパネルセンサ１０７がハンドル１８０４を右側に移動させたことを検出すると、多画像表示画面１８０１に表示する画像の数を増加させた画面に切り替わる。例えば、図１８（ａ）に示すように、レイアウト１（最大表示画像数８０）に画面が切り替わる。逆に、図１のタッチパネルセンサ１０７がハンドル１８０４を左側に移動させたことを検出すると、多画像表示画面１８０１に表示する画像の数を減少させた画面に切り替わる。例えば、図１８（ｂ）の１８０２で示すレイアウト２（最大表示画像数２０）に切り替わる。
【００９７】
上述したように、本実施形態では、実施形態１〜４と異なり、多画像表示画面に表示する画像数をユーザが切り換えることができる。
【００９８】
図１７は、本実施形態において多画像表示画面に遷移した際の表示フローを示している。
まず、日付指定画面から遷移したか否かを判定する（Ｓ１７０１）。日付指定画面から多画像表示画面へ遷移したのでなければ、Ｓ１７０５へ進む。
【００９９】
一方、日付指定画面から多画像表示画面への遷移したのでなければ、Ｓ１７０２へ進み、指定した日付の画像群に含まれる画像数が予め設定された多画像表示画面の画像数より多い否かを判定する。なお、本実施形態では、レイアウト２（表示画像数が２０）を予め設定するものとした。したがって、指定した日付の画像群に含まれる画像数が２０より多いか否かを判定する。指定した日付の画像群に含まれる画像数が２０より多い場合は、Ｓ１７０３へ進み、２０以下である場合はＳ１７０４へ進む。
【０１００】
Ｓ１７０３では、予め設定した多画像表示画面で表示する。すなわち、本実施形態では、レイアウト２（最大表示画像数２０）にカレント画像を含む画像群を画像リストの順に並べて配置する。言い換えれば、図１８（ｂ）に示すように、レイアウト２（最大表示画像数２０）の多画像表示画面１８０２に自動的にレイアウトを切り換えて画像を配置する。このとき、各画像の表示行は変更しないものとする。その後、Ｓ１７０６へ進む。
【０１０１】
Ｓ１７０４では、予め設定した多画像表示画面よりも多い画像数を表示できる多画像表示画面を表示する。このとき、指定した日付の画像群に含まれる画像数よりも表示画面に表示される画像数が多くなるようにするのが好ましい。本実施形態では、Ｓ１７０４では、レイアウト１（最大表示画像数８０）にカレント画像を含む画像群を画像リストの順に並べて表示する。言い換えれば、図１８（ａ）に示すように、レイアウト１（最大表示画像数８０）の多画像表示画面１８０１に自動的にレイアウトを切り換えて画像を表示する。その後、Ｓ１７０６へ進む。
【０１０２】
Ｓ１７０５では、現在のレイアウト画面に、カレント画像を含む画像群を画像リストの順に並べて配置する。このとき、各画像の表示行は変更しない。そして、Ｓ１７０８へ進む。
【０１０３】
Ｓ１７０６では、多画像表示画面に遷移してから一定時間経過したか否かを判定する。
【０１０４】
多画像表示画面に遷移してから一定時間経過していない場合、は、指定した日付の画像群１８０５のみを基準の明るさで表示し、その他の日付の画像１８０６および１８０７を基準の明るさよりも明度を下げて表示する（Ｓ１７０７）。すなわち、多画像表示画面に遷移してから一定時間経過するまでの間は、指定した日付の画像群１８０５のみを基準の明るさで表示し、その他の日付の画像１８０６および１８０７を基準の明るさよりも明度を下げて表示する。一方、多画像表示画面に遷移してから一定時間経過した場合は、Ｓ１７０８へ進む。
【０１０５】
Ｓ１７０８では、スライドバー１８０３のハンドル１８０４で最後に選択された現在のレイアウトのままカレント画像を含む画像群を全ての画像を基準の明るさで表示する。
【０１０６】
本実施形態では、実施形態１と同様に、日付指定画面から多画像表示画面に遷移した場合、多画像表示画面において指定した日付の画像群とその他の画像群に表示の差をつけることにより、容易に所望の画像を見つけることができる。また、プログラムサイズを小さくすることができる。
【０１０７】
また、本実施形態では、日付指定画面から多画像表示画面に遷移した際に指定した日付の画像数に応じて最適な最大表示画像数のレイアウトに自動的に切り換える。これにより必要以上の画像を表示することを抑制することができる。本実施形態では、指定した日付の画像群が多画像表示画面のほんの一部にしか表示されない状況が減るため、効率良く所望の画像を探すことができる。
【０１０８】
また、本実施形態では、ユーザ操作によりレイアウトを切り替えて表示できるものとした。これにより、ユーザが確認しやすい表示状態で、画像を探すことができる。
【０１０９】
（実施形態６）
実施形態１〜５では、液晶ディスプレイ１０６に積層して取り付けられたタッチパネルセンサ１０７によってユーザ操作を検出するものとしたが、本実施形態では上下左右ボタンとＯＫボタンによりユーザ操作を検出する。
【０１１０】
図１９は、本実施形態に係る画像処理装置の機能ブロック図である。図１９に示すように、画像処理装置１９０１は、ＣＰＵと、ＲＯＭと、ＲＡＭと、画像印刷部と、画像読取部と、外部デバイスＩ／Ｆと、操作パネル１９０５と、外部メモリＩ／Ｆと、を備えている。ＣＰＵ、ＲＯＭ、ＲＡＭ、画像印刷部、画像読取部、外部デバイスＩ／Ｆ、及び外部メモリＩ／Ｆは、実施形態１と同様であるので説明を省略する。
【０１１１】
操作パネル１９０５は、液晶ディスプレイ１９０７と、操作ボタン１９０８を備えている。
ここで、図２０を用いて、本実施形態の操作パネル１９０５について説明する。図２０は、操作パネル１９０５の概略図である。図２０に示すように、操作パネル１９０５は、液晶ディスプレイ１９０７と、各種操作ボタン１９０８（上下左右ボタン２００３、ＯＫボタン２００４、及び電源ボタン２００５）を有している。なお、電源ボタン２００５は、実施形態１の電源ボタン１０８と同様であるので説明を省略する。
【０１１２】
ここで、図２１を用いて、上下左右ボタン２００３とＯＫボタン２００４の機能について説明する。図２１は、上下左右ボタン２００３とＯＫボタン２００４による画面の操作を説明する図である。
【０１１３】
図２１に示すように、多画像表示画面２１０１は、画像を選択するためのカーソル２１０２、日付ジャンプボタン２１０３を備えている。実施形態１において画像のタップ操作で行っていた画像の選択操作を、本実施形態では、画面に表示したカーソル２１０２を上下左右ボタン２００３で所望の画像に移動させてＯＫボタン２００４を押すことで実行する。また、多画像表示画面２１０１の下段に表示している日付ジャンプボタン２１０３を押下する場合についても同様に、カーソル２１０２を上下左右ボタン２００３で日付ジャンプボタンまで移動させてＯＫボタン２００４を押すことで実行する。図示しないが、１画像表示画面や日付指定画面でも同様に、画面上にカーソルを表示し、上下左右ボタン２００３で移動してＯＫボタン２００４を押すことで、画像や画面内のボタン選択を行う。また、画像送り操作は、１画像表示画面では上下左右ボタン２００３の左右ボタンを押すことで実行し、多画像表示画面及び日付指定画面ではカーソルを画面の左右端まで移動して更に上下左右ボタン２００３の左右ボタンを押すことで実行する。
【０１１４】
本実施形態では、実施形態１と同様の「カード画像表示モード」機能を有し、図３〜図６を用いて説明した画像表示制御を実行する。
【０１１５】
本実施形態では、実施形態１と同様に、日付指定画面から多画像表示画面に遷移した場合、多画像表示画面において指定した日付の画像群とその他の画像群に表示の差をつけることにより、容易に所望の画像を見つけることができる。また、プログラムサイズを小さくすることができる。
【０１１６】
また、本実施形態では、操作パネル１９０５の画面（本実施形態では液晶ディスプレイ）を直接触って画像を選択する必要がない。したがって、指でタッチしづらいサイズの小さい画面であっても問題なく操作を行うことができる。
【０１１７】
（他の実施形態）
以上、本発明の各実施形態を説明したが、本発明の基本的構成は上述したものに限定されるものではない。
【０１１８】
例えば、上述した実施形態では、指定した日付の画像群と、指定した日付以外の日付の画像群との表示を区別する際に、指定した日付以外の日付の画像群の明度を落とすようにしたが、これに限定されるものではない。例えば、明度により差を出すのではなく、例えば、再度や色相によって表示に差をつけるようにしてもよく、また、これらを組み合わせることによって表示に差をつけるようにしてもよい。また、指定した日付以外の画像のみ表示を変更するのではなく、指定した日付の画像のみ表示を変えるようにしてもよいし、指定した日付の画像群と指定した日付の画像群の両方に異なる表示変化を行うようにしてもよい。また、画像自体の表示（明度、色調、彩度等）を変化させるのではなく、アイコン、文字、図形、記号などの付加情報を、所定の画像群の上に重ねたり、あるいは、周囲や近傍に表示したりするようにしてもよい。
【０１１９】
また、上述した実施形態では、指定した日付以外の画像群の明度を下げている状態でも、画像を選択可能としたが、指定した日付以外の画像群の明度が元に戻るまで選択不可となるように設定してもよい。指定した日付以外の画像群の明度が元に戻るまで選択不可となるように設定することで、誤操作を防ぐことができる。
【０１２０】
実施形態１〜３では、多画像表示画面においてカレント画像を画面の１列目に配置するようにしたがこれに限定されず、例えば、カレント画像を画面の２列目、画面中央の列、画面の最後の列など所定の位置に配置するように設定してもよい。
【０１２１】
実施形態５では、レイアウトが２種類の場合を例に挙げて説明したが、これに限定されるものではなく、レイアウトが３種以上の場合であっても同様の方法により、画像を表示することができる。すなわち、より多くのレイアウトを自動的に選択できるようにしてもよい。また、実施形態５では、指定した日付の画像数が、画面の最大表示画像数より多いか少ないかでレイアウトを決定するようにしたが、これに限定されるものではない。例えば、最大表示画像数から左と右の所定数列分（例えば、２列ずつ）の画像数を引いた数を基準にしてレイアウトを決定することで、指定した日付の前後の画像が、それぞれ１列程度表示されるようにしてもよい。
【０１２２】
上述した実施形態では、画像データに関連付けられた画像情報として日付を用い、日付毎に画像リストの画像データを複数の画像群に分類して、日付指定画面でユーザに日付を指定させるようにしたがこれに限定されるものではない。例えば、年、月、週、時刻などの所定単位を用い、所定単位毎に画像リストの画像データを複数の画像群に分類するようにしてもよい。この場合は、該当画像（所定単位における指定した画像群）と非該当画像（所定単位のおける指定されていない画像群）との表示に差をつけるようにすればよい。
【０１２３】
上述した実施形態では、１画像表示画面、多画像表示画面、日付指定表示画面のいずれにおいても、画像リストを日時の古い順に並べるようにしたが、これに限定されるものではない。例えば、日時の新しい順に並べるようにしてもよい。
【０１２４】
また、上述した実施形態では、複数画像表示モードにおいて、画像群に含まれる画像データに基づく画像を日時情報の順に並べて表示したが、これに限定されるものではない。例えば、画像情報として、他の情報を用いる場合は、その情報に基づいて画像を順に並べて表示するようにすればよい。
【０１２５】
また、上述した実施形態では、画像群を並べて配置する際に各画像の表示行は変えないようにしたが、各画像の表示行を変更するようにしてもよく、例えば、カレント画像を各列の先頭になるように表示を変更するようにしてもよい。
【０１２６】
上述した実施形態では、メモリカードに保存した画像を読み込んで画像表示する際の画像表示機能について説明したが、これに限定されるものではなく、画像を画像表示する際であれば同様の方法により表示をする場合に適用することができる。例えば、図１の外部デバイス１１４に保存してある画像とその日付情報を、外部デバイスＩ／Ｆ  １１３経由で読みだして表示する場合にも同様に表示を行うようにすることができる。また、画像読取部１１２にセットした原稿用紙を読み取り、読み取った画像データとその読み取り日時情報をＲＡＭ１０４に保持してそれらを読み出して表示する場合でも同様の方法により表示するようにすればよい。
【０１２７】
なお、上述した実施形態では、インクジェット記録方式を採用した画像印刷部を備える画像処理装置を例に挙げて説明したが、これに限定されず、例えば、色材にトナーを用いる電子写真方式を採用した画像印刷部を備える画像処理装置であってもよい。
【０１２８】
また、上述した実施形態では、画像処理装置は、記録機能（印刷機能）及び読取機能（スキャナ機能）を備えるものとしたが、これに限定されるものではない。例えば、記録機能のみを有するものであってもよいし、記録機能、ＦＡＸ機能、スキャナ機能等の複数の機能を有するものであってもよい。
【０１２９】
なお、上述した実施形態における、「記録」とは、文字、図形等有意の情報を形成する場合のみならず、有意無意を問わない。更に人間が視覚で知覚し得るように顕在化したものであるか否かも問わず、広く記録媒体上に画像、模様、パターン、構造物等を形成する、又は媒体の加工を行なう場合も表す。また、「被記録媒体」とは、一般的な記録装置で用いられる紙のみならず、布、プラスチック・フィルム、金属板、ガラス、セラミックス、樹脂、木材、皮革等、インクを受容可能なものも表す。さらに、「インク」とは、被記録媒体上に付与されることによって、画像、模様、パターン等の形成又は記録媒体の加工、或いはインクの処理（例えば、記録媒体に付与されるインク中の色剤の凝固又は不溶化）に供され得る液体を表す。
【０１３０】
上述した実施形態は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、一部又は全部をハードウェアによって実現するようにしてもよい。
【符号の説明】
【０１３１】
１０１  画像処理装置
１０５、１６０１  操作パネル
１０６、１６０２  液晶ディスプレイ
１０７、  タッチパネルセンサ
１１０  メモリカード
【図１】
2014059632.tif 000003
【図２】
2014059632.tif 000004
【図３】
2014059632.tif 000005
【図４】
2014059632.tif 000006
【図５】
2014059632.tif 000007
【図６】
2014059632.tif 000008
【図７】
2014059632.tif 000009
【図８】
2014059632.tif 000010
【図９】
2014059632.tif 000011
【図１０】
2014059632.tif 000012
【図１１】
2014059632.tif 000013
【図１２】
2014059632.tif 000014
【図１３】
2014059632.tif 000015
【図１４】
2014059632.tif 000016
【図１５】
2014059632.tif 000017
【図１６】
2014059632.tif 000018
【図１７】
2014059632.tif 000019
【図１８】
2014059632.tif 000020
【図１９】
2014059632.tif 000021
【図２０】
2014059632.tif 000022
【図２１】
2014059632.tif 000023
【図２２】
2014059632.tif 000024